(57)【要約】【課題】設置された店舗へのより高い顧客誘引効果を発揮させる。【解決手段】端末装置としてのデジタルサイネージ装置（２）は、店舗に設置される端末装置であって、サービスチケットを外部機器から取得するリーダライタ部（３１）と、抽選画像を表示する表示部と、操作を行うための操作部（３２）とを備え、制御部（２３）は、取得されたサービスチケットに基づいて、抽選条件の設定変更を行い、制御部（２３）は、表示部に表示された抽選画像に対する操作に応じて、設定変更された抽選条件で、抽選を行い、制御部（２３）は、抽選が行われた場合に、他の店舗に設置された他のデジタルサイネージ装置（２）におけるサービスチケットを生成し、リーダライタ部（３１）は、生成された抽選条件設定情報を外部機器に対して出力する。【選択図】図２
2017123203.tif 000002
【特許請求の範囲】
【請求項１】
抽選条件を設定するための設定情報を取得する取得手段と、
前記取得手段により取得された設定情報に基づいて、抽選条件の設定変更を行う変更手段と、
ユーザ操作に応じて前記変更手段により設定変更された抽選条件で抽選を行う抽選手段と、
前記抽選手段による抽選が行われた場合に、他の端末装置における抽選条件を設定するための設定情報を生成する生成手段と、
前記生成手段により生成された設定情報を出力する出力手段と、
を備え、
前記取得手段は、外部機器と近距離無線通信により前記設定情報を取得し、
前記出力手段は、前記近距離無線通信により前記外部機器に前記設定情報を送信することを特徴とする端末装置。
【請求項２】
抽選条件を設定するための設定情報を取得する取得手段と、
前記取得手段により取得された設定情報に基づいて、抽選条件の設定変更を行う変更手段と、
ユーザ操作に応じて前記変更手段により設定変更された抽選条件で抽選を行う抽選手段と、
前記抽選手段による抽選が行われた場合に、他の端末装置における抽選条件を設定するための設定情報を生成する生成手段と、
前記生成手段により生成された設定情報を出力する出力手段と、
を備え、
前記取得手段は、バーコードを読み取るバーコードリーダを備え、前記バーコードリーダにより読み取ったバーコードから前記設定情報を取得し、
前記生成手段は、前記設定情報をバーコード化し、
前記出力手段は、印刷物を印刷する印刷手段を備え、前記印刷手段によりバーコード化された設定情報を印刷することを特徴とする端末装置。
【請求項３】
抽選条件を設定するための設定情報を取得する取得手段と、
前記取得手段により取得された設定情報に基づいて、抽選条件の設定変更を行う変更手段と、
ユーザ操作に応じて前記変更手段により設定変更された抽選条件で抽選を行う抽選手段と、
前記抽選手段による抽選が行われた場合に、他の端末装置における抽選条件を設定するための設定情報を生成する生成手段と、
前記生成手段により生成された設定情報を出力する出力手段と、
を備え、
前記設定情報には、ユーザの趣味趣向に関するユーザ情報が含まれ、
前記生成手段は、前記ユーザ情報に基づいて、前記設定情報に関する対象店舗を変更することを特徴とする端末装置。
【請求項４】
前記抽選手段は、表示部に表示された抽選画像に対するユーザ操作に応じて前記変更手段により設定変更された抽選条件で抽選を行うことを特徴とする請求項１〜３の何れか一項に記載の端末装置。
【請求項５】
前記生成手段は、前記抽選手段による抽選結果に基づいて、他の端末装置における抽選条件を設定するための設定情報の内容を変更することを特徴とする請求項１〜４の何れか一項に記載の端末装置。
【請求項６】
複数の端末装置がデータ送受信可能に接続されている抽選システムにおいて、
一の端末装置は、
抽選条件を設定するための設定情報を取得する取得手段と、
前記取得手段により取得された設定情報に基づいて、抽選条件の設定変更を行う変更手段と、
ユーザ操作に応じて前記変更手段により設定変更された抽選条件で抽選を行う抽選手段と、
前記抽選手段による抽選が行われた場合に、他の端末装置における抽選条件を設定するための設定情報を生成する生成手段と、
前記生成手段により生成された設定情報を出力する出力手段と、
を備え、
前記取得手段は、外部機器と近距離無線通信により前記設定情報を取得し、
前記出力手段は、前記近距離無線通信により前記外部機器に前記設定情報を送信することを特徴とする抽選システム。
【請求項７】
複数の端末装置がデータ送受信可能に接続されている抽選システムにおいて、
一の端末装置は、
抽選条件を設定するための設定情報を取得する取得手段と、
前記取得手段により取得された設定情報に基づいて、抽選条件の設定変更を行う変更手段と、
ユーザ操作に応じて前記変更手段により設定変更された抽選条件で抽選を行う抽選手段と、
前記抽選手段による抽選が行われた場合に、他の端末装置における抽選条件を設定するための設定情報を生成する生成手段と、
前記生成手段により生成された設定情報を出力する出力手段と、
を備え、
前記取得手段は、バーコードを読み取るバーコードリーダを備え、前記バーコードリーダにより読み取ったバーコードから前記設定情報を取得し、
前記生成手段は、前記設定情報をバーコード化し、
前記出力手段は、印刷物を印刷する印刷手段を備え、前記印刷手段によりバーコード化された設定情報を印刷することを特徴とする抽選システム。
【請求項８】
複数の端末装置がデータ送受信可能に接続されている抽選システムにおいて、
一の端末装置は、
抽選条件を設定するための設定情報を取得する取得手段と、
前記取得手段により取得された設定情報に基づいて、抽選条件の設定変更を行う変更手段と、
ユーザ操作に応じて前記変更手段により設定変更された抽選条件で抽選を行う抽選手段と、
前記抽選手段による抽選が行われた場合に、他の端末装置における抽選条件を設定するための設定情報を生成する生成手段と、
前記生成手段により生成された設定情報を出力する出力手段と、
を備え、
前記設定情報には、ユーザの趣味趣向に関するユーザ情報が含まれ、
前記生成手段は、前記ユーザ情報に基づいて、前記設定情報に関する対象店舗を変更することを特徴とする抽選システム。
【請求項９】
端末装置のコンピュータを、
抽選条件を設定するための設定情報を取得する取得手段、
前記取得手段により取得された設定情報に基づいて、抽選条件の設定変更を行う変更手段、
ユーザ操作に応じて前記変更手段により設定変更された抽選条件で抽選を行う抽選手段、
前記抽選手段による抽選が行われた場合に、他の端末装置における抽選条件を設定するための設定情報を生成する生成手段、
前記生成手段により生成された設定情報を出力する出力手段、
として機能させ、
前記取得手段は、外部機器と近距離無線通信により前記設定情報を取得し、
前記出力手段は、前記近距離無線通信により前記外部機器に前記設定情報を送信するためのプログラム。
【請求項１０】
バーコードを読み取るバーコードリーダと印刷物を印刷する印刷手段を備える端末装置のコンピュータを、
抽選条件を設定するための設定情報を取得する取得手段、
前記取得手段により取得された設定情報に基づいて、抽選条件の設定変更を行う変更手段、
ユーザ操作に応じて前記変更手段により設定変更された抽選条件で抽選を行う抽選手段、
前記抽選手段による抽選が行われた場合に、他の端末装置における抽選条件を設定するための設定情報を生成する生成手段、
前記生成手段により生成された設定情報を出力する出力手段、
として機能させ、
前記取得手段は、前記バーコードリーダにより読み取ったバーコードから前記設定情報を取得し、
前記生成手段は、前記設定情報をバーコード化し、
前記出力手段は、前記印刷手段によりバーコード化された設定情報を印刷するためのプログラム。
【請求項１１】
端末装置のコンピュータを、
抽選条件を設定するための設定情報を取得する取得手段、
前記取得手段により取得された設定情報に基づいて、抽選条件の設定変更を行う変更手段、
ユーザ操作に応じて前記変更手段により設定変更された抽選条件で抽選を行う抽選手段、
前記抽選手段による抽選が行われた場合に、他の端末装置における抽選条件を設定するための設定情報を生成する生成手段、
前記生成手段により生成された設定情報を出力する出力手段、
として機能させ、
前記設定情報には、ユーザの趣味趣向に関するユーザ情報が含まれ、
前記生成手段は、前記ユーザ情報に基づいて、前記設定情報に関する対象店舗を変更するためのプログラム。_
【発明の詳細な説明】
【技術分野】
【０００１】
本発明は、端末装置、抽選システム及びプログラムに関する。
【背景技術】
【０００２】
従来、例えばデジタルサイネージ装置などの端末装置においては、広告画像の内容を容易に変更することができるため、最新の情報を常に閲覧者に提供できる点で優れた広告効果を発揮する（例えば特許文献１参照）。
【先行技術文献】
【特許文献】
【０００３】
【特許文献１】特開２０１２−１２８２１０号公報
【発明の概要】
【発明が解決しようとする課題】
【０００４】
ところで、複数の店舗からなる施設においては、店舗毎に設置されている表示装置を利用して、各店舗への顧客の誘引効果をより高めることが望まれている。
本発明の課題は、設置された店舗へのより高い顧客誘引効果を発揮させることである。
【課題を解決するための手段】
【０００５】
本発明の端末装置は、抽選条件を設定するための設定情報を取得する取得手段と、前記取得手段により取得された設定情報に基づいて、抽選条件の設定変更を行う変更手段と、ユーザ操作に応じて前記変更手段により設定変更された抽選条件で抽選を行う抽選手段と、前記抽選手段による抽選が行われた場合に、他の端末装置における抽選条件を設定するための設定情報を生成する生成手段と、前記生成手段により生成された設定情報を出力する出力手段と、を備え、前記取得手段は、外部機器と近距離無線通信により前記設定情報を取得し、前記出力手段は、前記近距離無線通信により前記外部機器に前記設定情報を送信することを特徴とする。
また、本発明の端末装置は、抽選条件を設定するための設定情報を取得する取得手段と、前記取得手段により取得された設定情報に基づいて、抽選条件の設定変更を行う変更手段と、ユーザ操作に応じて前記変更手段により設定変更された抽選条件で抽選を行う抽選手段と、前記抽選手段による抽選が行われた場合に、他の端末装置における抽選条件を設定するための設定情報を生成する生成手段と、前記生成手段により生成された設定情報を出力する出力手段と、を備え、前記取得手段は、バーコードを読み取るバーコードリーダを備え、前記バーコードリーダにより読み取ったバーコードから前記設定情報を取得し、前記生成手段は、前記設定情報をバーコード化し、前記出力手段は、印刷物を印刷する印刷手段を備え、前記印刷手段によりバーコード化された設定情報を印刷することを特徴とする。
また、本発明の端末装置は、抽選条件を設定するための設定情報を取得する取得手段と、前記取得手段により取得された設定情報に基づいて、抽選条件の設定変更を行う変更手段と、ユーザ操作に応じて前記変更手段により設定変更された抽選条件で抽選を行う抽選手段と、前記抽選手段による抽選が行われた場合に、他の端末装置における抽選条件を設定するための設定情報を生成する生成手段と、前記生成手段により生成された設定情報を出力する出力手段と、を備え、前記設定情報には、ユーザの趣味趣向に関するユーザ情報が含まれ、前記生成手段は、前記ユーザ情報に基づいて、前記設定情報に関する対象店舗を変更することを特徴とする。
【発明の効果】
【０００６】
本発明によれば、設置された店舗へのより高い顧客誘引効果を発揮することができる。
【図面の簡単な説明】
【０００７】
【図１】本発明の実施形態に係る抽選システムの全体構成例を示す図である。
【図２】本発明の実施形態に係るデジタルサイネージ装置の機能構成を示すブロック図である。
【図３】図２のデジタルサイネージ装置のスクリーン部の概略構成を示す図である。
【図４】店舗端末の機能構成を示すブロック図である。
【図５】携帯端末の機能構成を示すブロック図である。
【図６】デジタルサイネージ装置により実行される抽選処理の流れを示すフローチャートである。
【図７】福引き形式のくじ画像が表示部に表示されている様子を示す図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
抽選システム１は、図１に示すように、端末装置としての複数のデジタルサイネージ装置２と、複数の店舗端末４とを備える。それらの機器は通信ネットワークＮを介して接続されている。通信ネットワークＮは、専用線や既存の一般公衆回線を利用して構築された通信ネットワークＮであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。本実施形態においては、複数のデジタルサイネージ装置２及び複数の店舗端末４は、例えば、ピアツーピア（Peer to Peer）型ネットワークで接続されている。
【００１０】
先ず、図２を参照して、端末装置としてのデジタルサイネージ装置２の機能構成を説明する。デジタルサイネージ装置２は、図２に示すように、映像光を照射する投影部２１と、投影部２１から照射された映像光を背面で受けて前面に投影するスクリーン部２２とを備えている。
【００１１】
投影部２１は、デジタルサイネージ装置２の各部を制御する制御部２３と、各種処理プログラムや各コンテンツデータを記憶する記憶部２５と、制御部２３から出力制御されたコンテンツの映像データを映像光に変換してスクリーン部２２に向けて照射するプロジェクタ２４と、通信ネットワークＮを介して他のデジタルサイネージ装置２と通信する通信手段としての通信部２６とを備えている。
【００１２】
スクリーン部２２は、図３に示すように、四角状の表示部２７と、表示部２７の上部に設けられたカメラなどの撮像部３０と、表示部２７を支持する台座２８とが備えられている。
なお、デジタルサイネージ装置の実施形態としては、スクリーン部２２に代えて、ＬＣＤ（Liquid Crystal Display）、ＥＬＤ（Electro Luminescent Display）等により構成された表示部を備える表示装置に映像データを表示させる構成でもよい。
【００１３】
表示部２７は、映像光の照射方向に対して略直交する例えばアクリル板などの一枚の透光板２９により形成されている。透光板２９の背面には背面投影用のフィルムスクリーンが積層され、なおかつフィルムスクリーンの背面にはフィルム状のフレネルレンズが積層されている。
【００１４】
台座２８には、携帯端末５やＩＣカード等の機器に対して情報を読み書きするためのリーダライタ部３１と、ボタン式の操作部３２と、スピーカなどの音声出力部３３と、マイクなどの音声入力部３４と、クーポン券等に印刷されたバーコード情報を読み込むバーコードリーダ部３５と、クーポン券等を印刷するための印刷部３６が設けられている。リーダライタ部３１、操作部３２、音声出力部３３、音声入力部３４及び撮像部３０は、図２に示すように制御部２３に接続されている。
【００１５】
記憶部２５は、磁気記録媒体を有するＨＤＤ（Hard Disk Drive）、不揮発性の半導体メモリ等により構成される。記憶部２５には、図２に示すように、プログラム記憶部２５０が設けられている。また、くじ引きの実行等において使用されるコンテンツデータが記憶されている。
【００１６】
プログラム記憶部２５０には、システムプログラムや処理プログラムおよびこれらのプログラムの実行に必要なデータが記憶されている。処理プログラムには、抽選（以下、くじ、またはくじ引きともいう。）の当たり確率を指定する抽選条件設定プログラムおよび乱数発生プログラム、抽選条件設定変更プログラム、抽選条件設定情報としてのサービスチケット情報を取得する取得プログラム、サービスチケット情報を生成する生成プログラムを含む。
【００１７】
制御部２３は、デジタルサイネージ装置２の各部を制御する。制御部２３は、操作部３２からの操作指示に基づいて、操作内容に関連したコンテンツデータを記憶部２５から読み出し、プロジェクタ２４及び音声出力部３３を制御して例えば広告画像・音声を出力させる。また、制御部２３は、撮像部３０から得られた画像や、音声入力部３４から得られた音声を解析し、その解析内容に関連したコンテンツデータを記憶部２５から読み出して、プロジェクタ２４及び音声出力部３３を制御して画像・音声を出力させる。
また、制御部２３は、取得プログラムによりサービスチケット情報を取得する。取得にはリーダライタ部３１又はバーコードリーダ部３５を介してサービスチケット情報を取得する。バーコードリーダ部３５による場合には、読み込んだバーコード情報からサービスチケット情報を取得する。かかる処理を実行することで制御部２３は取得手段として機能する。
また、制御部２３は、抽選条件設定情報にとしてのサービスチケット情報に基づいて、抽選条件の設定変更を行う。かかる処理を実行することにより、制御部２３は、変更手段として機能する。
また、制御部２３は、抽選条件設定プログラムおよび乱数発生プログラムにより抽選を実行する。かかる処理を実行することにより、制御部２３は、抽選手段として機能する。
また、制御部２３は、抽選が行われた場合に、他の店舗に設置された他のデジタルサイネージ装置２における抽選条件設定情報としてのサービスチケット情報を生成する。生成されるサービスチケット情報が印刷される場合においては、制御部２３は、サービスチケット情報をバーコード化し、そのバーコードが付されたサービスチケットが印刷部３６により印刷される。かかる処理を実行することで、制御部２３は、サービスチケット情報を生成する生成手段として機能する。
【００１８】
リーダライタ部３１は、ＮＦＣ（Near Field Communication）などの近距離無線通信技術によって携帯端末５やＩＣカード等と通信しそれらの機器に対して情報を読み書きする。すなわち、携帯端末５やＩＣカードがリーダライタ部３１にかざされると、読み取り時においてはそれらの機器に記憶されている情報を読み出し、他方、書き込み時は、書き込み情報をそれらの機器に対して通信して、それらの機器に書き込み情報を記憶させる。ここで、リーダライタ部３１は、抽選条件設定情報にとしてのサービスチケット情報を取得する取得手段として機能する。
【００１９】
バーコードリーダ部３５は、サービスチケットに印刷されたバーコード情報を読み込む。ここで、バーコードリーダ部３５により読み込まれたバーコード情報からサービスチケット情報が取得されることで、バーコードリーダ部３５は、抽選条件設定情報にとしてのサービスチケット情報を取得する取得手段として機能する。
【００２０】
撮像部３０は、表示部２７に対向する空間の映像をリアルタイムに撮像する。
【００２１】
次に、図４を参照して、店舗端末４の機能構成を説明する。図４に示すように、店舗端末４は、機器の全体的な制御を行うＣＰＵ（Central Processing Unit）４１と、複数の操作キーを有する入力部４２と、ＣＰＵ４１に作業用のメモリ空間を提供するＲＡＭ（Random Access Memory）４３と、表示部４４と、ＣＰＵ４１が実行する制御プログラムや制御データを格納した記憶部４５と、通信部４６と、を備える。ＣＰＵ４１、入力部４２、ＲＡＭ４３、表示部４４、記憶部４５、通信部４６は、バス４７を介して接続されている。
【００２２】
ＣＰＵ４１は、記憶部４５に記憶されているシステムプログラムを読み出し、ＲＡＭ４３のワークエリアに展開し、該システムプログラムに従って各部を制御する。また、ＣＰＵ４１は、記憶部４５に記憶されている処理プログラム４５１を読み出してワークエリアに展開し、各種処理を実行する。
【００２３】
入力部４２は、カーソルキー、文字、数字入力キー及び各種機能キーなどを備えたキーボードを含む構成とし、操作者による各キーの押下入力を受け付けてその操作情報をＣＰＵ４１に出力する。また、入力部４２は、マウス等のポインティングデバイスを含み、位置入力を受け付けて操作情報としてＣＰＵ４１に出力する。
【００２４】
ＲＡＭ４３は、揮発性のメモリである。また、ＲＡＭ４３は、実行される各種プログラムやこれら各種プログラムに係るデータ等を格納するワークエリアを有する。
【００２５】
表示部４４は、ＬＣＤ（Liquid Crystal Display）等で構成され、ＣＰＵ４１から入力される表示情報に応じて各種表示を行う。
【００２６】
記憶部４５は、磁気記録媒体を有するＨＤＤ（Hard Disk Drive）、不揮発性の半導体
メモリ等により構成される。記憶部４５には、図４に示すように、プログラム記憶部４５０および店舗情報記憶部４５２が設けられている。
【００２７】
プログラム記憶部４５０には、ＣＰＵ４１で実行されるシステムプログラムや処理プログラム４５１、これらのプログラムの実行に必要なデータ等が記憶されている。これらのプログラムは、コンピュータ読み取り可能なプログラムコードの形態でプログラム記憶部４５０に格納されている。ＣＰＵ４１は、当該プログラムコードに従った動作を逐次実行する。
【００２８】
店舗情報記憶部４５２には、店舗に関する情報、および、店舗のサービスチケットの情報が記憶されている。店舗に関する情報としては、具体的には、店舗の業種、商品や役務の内容、ある時間帯に自己の店舗でタイムセールが行われることの情報、ある時間帯に自己の店舗のデジタルサイネージ装置２はくじの当選確率が高いという情報、店舗が予め選択して設定している顧客を誘導したい所定の他の店舗の情報等が記憶されている。
【００２９】
通信部４６は、モデム、ルータ、ネットワークカード等により構成され、通信ネットワークＮに接続されて、通信ネットワークＮ上でデジタルサイネージ装置２との通信を行う。
【００３０】
次に、図５を参照して、携帯端末５の機能構成を説明する。携帯端末５は、例えば携帯電話、スマートフォン、タブレット式端末などの携帯機器である。携帯端末５は、例えば、表示部５１と、操作部５２と、通信部５３と、近距離通信部５４と、記憶部５５と、これらを制御する制御部５６とが設けられている。
【００３１】
表示部５１は例えばＬＣＤ（Liquid Crystal Display）、ＥＬＤ（Electro Luminescent Display）等により構成され、制御部５６から入力される表示情報に応じて各種表示を行う。
【００３２】
操作部５２は例えば操作キーやタッチパネルなどからなり、操作されたキー入力や、検出されたタッチパネル接触位置の情報を制御部５６に出力する。
【００３３】
通信部５３は、第３世代移動通信システム（３Ｇ）、ＬＴＥ（Long Term Evolution）、Ｗｉ−Ｆｉなどの無線ＬＡＮ、等の規格により通信を行う。
【００３４】
近距離通信部５４は、例えばＮＦＣ（Near Field Communication）などの近距離無線通信技術によってデジタルサイネージ装置２のリーダライタ部３１と通信を行う。
【００３５】
記憶部５５には、デジタルサイネージ装置２との通信を行うためのアプリケーションが記憶されている。デジタルサイネージ装置２との通信を行うためのアプリケーションとしては、サービスチケットを取得するためのアプリケーションなどである。
【００３６】
制御部５６は、近距離通信部５４がデジタルサイネージ装置２のリーダライタ部３１に接近すると、サービスチケット取得アプリケーションを起動し、近距離通信部５４及びリーダライタ部３１を介してデジタルサイネージ装置２と情報の送受を実行する。
【００３７】
次に、本実施形態の表示システム１において実行される抽選処理の動作について、図６を参照して説明する。
表示システム１におけるデジタルサイネージ装置２の処理は、制御部２３と記憶部２５に記憶されている処理プログラムとの協働により実行される。
また、以下の説明では、例として、ショッピングモールや商店街、ショッピングセンター、アウトレットモール等の商業施設（以下、施設という。）の構成店舗の各店舗に１台デジタルサイネージ装置２および店舗端末４が設置されており、それらは各々、ピアツーピア（Peer to Peer）型ネットワークで接続されているものとする。
【００３８】
先ず、店舗に設置されているデジタルサイネージ装置２の制御部２３は、くじを引くユーザ情報を取得する（ステップＳ１）。具体的には、制御部２３は、リーダライタ部３１に対して携帯端末５がかざされると、携帯端末５に記憶されているユーザ情報をリーダライタ部３１を介して読み出す。
【００３９】
次に、制御部２３は、読み込んだユーザ情報中に、その店舗に関するサービスチケット情報が有るか否かを判断する（ステップＳ２）。抽選条件設定情報としてのサービスチケット情報が有ると判断すると（ステップＳ２；ＹＥＳ）、ステップＳ３に移行し、くじ引きの条件設定を変更する。そしてステップＳ４に移行する。一方、サービスチケット情報が無いと判断すると（ステップＳ２；ＮＯ）、ステップＳ４に移行する。
【００４０】
ステップＳ３における設定変更は、くじの当選確率を高くなるように設定変更する。当選確率を高くする方法に変えて、または、当選確率を高くする方法に加えて当たった場合の景品等がより高価になるように設定変更してもよい。したがって、ユーザは、抽選条件設定情報としてのサービスチケットを有していれば、有していない場合に比べてくじ引きの当選確率を高めて抽選を行うことが出来る。
【００４１】
次に、制御部２３は、くじ画像が表示部２７に表示された状態で、ユーザによる操作部３２の操作指示に応じてくじ引き抽選を実行する（ステップＳ４）。具体的には、くじ引きの実行に際して、例えば、図７に示す福引き形式のくじ画像Ｐを表示部２７に表示させるとともに、くじ引きに関する音声案内を音声出力部３３から出力させる。
具体的には、くじ条件として設定された当選確率に相当する数を当選番号と設定し、乱数を発生させ、得られた数字が、当選番号として設定された数であった場合に「当たり」とし、その他を「外れ」とする。これらがくじ条件として設定される。より具体的には、当選確率は「３０％」である場合であって、０〜９の値を均等な確率で発生させる乱数を用いる場合、このうちの３つを当選番号と設定しておけば、３０％の確率で当たりが出ることになる。
なお、くじ引き抽選の実行に際しては、くじ画像が表示部２７に表示された状態であることが必要条件ではなく、単に、ユーザによる操作部３２の操作指示に応じて、くじ引き抽選を実行するようにしてもよい。
【００４２】
次に、制御部２３は、くじ引き結果を表示する（ステップＳ５）。制御部２３は、くじ引き結果が当たりである場合には、当たりである旨、および、景品引き替えの手順の表示等を行う。
【００４３】
次に、制御部２３は、ステップＳ２で検出したサービスチケット情報をクリアする（ステップＳ６）。
【００４４】
次に、制御部２３は、ショッピングモール等の施設内の関連店舗情報を取得する（ステップＳ７）。具体的には、制御部２３は通信部２６を介して、関連店舗情報として全店舗の店舗端末４と通信してそれらの店舗の店舗情報を取得する。
【００４５】
次に、制御部２３は、関連店舗情報中に有益情報があるか否か判断する（ステップＳ８）。有益情報があると判断すると（ステップＳ８；ＹＥＳ）、ステップＳ９に移行し、有益情報が無いと判断すると（ステップＳ８；ＮＯ）、本処理を終了する。
【００４６】
ステップＳ９において、制御部２３は、所定の有益情報を、表示部７に表示することでそのユーザに通知する。
ここで、有益情報とは、具体的には、以下のような情報である。
（１）くじを引いたユーザのユーザ情報（ユーザの趣味趣向に関するものであり、例えば過去の購買履歴等である。）との相関度に基づき選択される他の店舗の商品や役務の情報である。例えば、過去のユーザ情報中のユーザ購買記録により、過去に購買した商品や役務に関連する商品や役務に関する他の店舗の情報をいう。
また、所定の有益情報は、以下であってもよい。
（２）ある時間帯にある他の店舗でタイムセールが行われることを通知させる情報。
（３）ある時間帯においてある他の店舗のデジタルサイネージ装置２はくじの当選確率が高いという情報。
（４）くじを引いたデジタルサイネージ装置２に対応する店舗が予め選択して設定している誘導したい所定の他の店舗の情報。
【００４７】
次に、制御部２３は、抽選条件設定情報としてのサービスチケットを出力して発行させる（ステップＳ１０）。ここで、サービスチケットは、賞品・役務等の割引券、優待券、利用回数スタンプを含む概念である。
制御部２３は、ユーザの趣味趣向に関するユーザ情報に基づいて、サービスチケットに関する対象店舗を変更する。なお、サービスチケットの発行する先は、例えば全店舗で使用できる共通サービスチケットであってもよい。
また、ステップＳ４のくじ引きの結果が当たりで有る場合には、サービスチケットの内容を変更してもよい。例えば、サービスチケットにおいて、より割引率の大きい割引券としたり、より大きな優待内容としてもよい。すなわち、制御部２３は、抽選結果に基づいて、抽選条件設定情報としてのサービスチケットの内容を変更する。
また、サービスチケットは、デジタルサイネージ装置２のリーダライタ部３１が携帯端末５と近距離無線通信してサービスチケット情報をその携帯端末５に送信することで発行する。
【００４８】
ステップＳ９、ステップＳ１０において制御部２３は、有益情報をユーザに通知し、所定の店舗に関連するサービスチケットを発行する。そこで、所定の店舗に関連するサービスチケットを受け取ったユーザは、受け取ったサービスチケットに該当する店舗に行き、そこに設置されているデジタルサイネージ装置２でくじを引くと、サービスチケットを有していることで、くじの当選率等のくじ引き条件が良くなる。つまり、わざわざ他の店舗に足を運んだ甲斐があるという状況が得られ、設置された店舗へのより高い顧客誘引効果を発揮することができる。また、また、ステップＳ４のくじ引きの結果が当たりである場合のサービスチケットの内容変更として、サービスチケットに該当する店舗でのくじ当選率等のくじ引き条件を更に高くするような内容変更としてもよい。
そして、処理を終了する。
【００４９】
以上のように、本実施形態による端末装置は、店舗に設置される端末装置としてのデジタルサイネージ装置２であって、
抽選条件を設定するための抽選条件設定情報としてのサービスチケットを取得する取得手段としてのリーダライタ部３１又はバーコードリーダ部３５と、抽選画像を表示する表示部２７と、所定の操作を行うための操作部３２とを備え、変更手段としての制御部２３は、取得手段により取得された抽選条件設定情報としてのサービスチケットに基づいて、抽選条件の設定変更を行い、抽選手段としての制御部２３は、表示部２７に表示された抽選画像に対する所定の操作に基づいて、設定変更された抽選条件で、抽選を行い、生成手段としての制御部２３は、抽選手段による抽選が行われた場合に、他の店舗に設置された他のデジタルサイネージ装置２における抽選条件を設定するための抽選条件設定情報としてのサービスチケットを生成し、出力手段としてのリーダライタ部３１又は印刷部３６は、生成された抽選条件設定情報を出力する。
これにより、設置された店舗へのより高い顧客誘引効果を発揮することができる。
【００５０】
また、取得手段としてのリーダライタ部３１は、外部機器としての携帯端末５と近距離無線通信により、抽選条件設定情報を取得し、出力手段としてのリーダライタ部３１は、前記近距離無線通信により、外部機器としての携帯端末４に抽選条件設定情報としてのサービスチケットを送信する。これにより、紙媒体にサービスチケットを印刷することなくサービスチケットを発行することができる。
【００５１】
また、取得手段は、バーコード情報を読み込むバーコードリーダ部３５を備え、バーコードリーダ部により読み込んだバーコード情報から抽選条件設定情報を取得し、生成手段としての制御部２３は、抽選条件設定情報をバーコード化し、出力手段は、印刷物を印刷するための印刷部を備え、印刷部によりバーコード化された抽選条件設定情報を印刷する。
これにより、取得手段としてのリーダライタ部３１と通信する機器を有さないユーザに対しても、抽選条件設定情報を印刷することにより出力でき、顧客誘引効果を発揮することができる対象顧客を広げることができる。
【００５２】
また、生成手段としての制御部２３は、抽選結果に基づいて、他の店舗に設置された他の端末装置における抽選条件を設定するための抽選条件設定情報の内容を変更する。
これにより、抽選で当たった際のサービスチケットは、例えば、当たらなかった際のサービスチケットに比べて抽選の当選確率の高いものとする等の変更を行うことができ、設置された店舗へのより高い顧客誘引効果を発揮することができる。
【００５３】
また、抽選条件設定情報には、ユーザの趣味趣向に関するユーザ情報が含まれ、生成手段としての制御部２３は、ユーザ情報に基づいて、抽選条件設定情報に関する対象店舗を変更する。抽選条件設定情報としてのサービスチケットに関する対象店舗をよりユーザに関連するものになり、顧客誘引効果をより高めることができる。
【００５４】
店舗情報を保有する複数の店舗端末４と店舗端末４に対応して設置された複数の端末装置であるデジタルサイネージ装置２とが通信ネットワークＮを介して互いにデータ送受信可能に接続されている抽選システム１において、一の端末装置であるデジタルサイネージ装置２は、抽選条件を設定するための抽選条件設定情報としてのサービスチケットを取得する取得手段としてのリーダライタ部３１又はバーコードリーダ部３５と、抽選画像を表示する表示部２７と、所定の操作を行うための操作部３２とを備え、変更手段としての制御部２３は、取得手段により取得された抽選条件設定情報としてのサービスチケットに基づいて、抽選条件の設定変更を行い、抽選手段としての制御部２３は、表示部２７に表示された抽選画像に対する所定の操作に基づいて、設定変更された抽選条件で、抽選を行い、生成手段としての制御部２３は、抽選手段による抽選が行われた場合に、他の店舗に設置された他のデジタルサイネージ装置２における抽選条件を設定するための抽選条件設定情報としてのサービスチケットを生成し、出力手段としてのリーダライタ部３１又は印刷部３６は、生成された抽選条件設定情報を出力する。
これにより、設置された店舗へのより高い顧客誘引効果を発揮することができる。
【００５５】
なお、本発明は上記実施形態に限らず適宜変更可能である。
例えば、本実施形態におけるステップＳ１では、携帯端末５からユーザ情報を取得し、ステップＳ１０では、携帯端末５にサービスチケット情報を発信することにより出力したが、携帯端末５の代わりに、ＩＣカードを使用してもよい。すなわち、デジタルサイネージ装置２の制御部２３は、リーダライタ部３１を介して、ＩＣカードと送受信してもよい。そして、ステップＳ１において、ユーザ情報を取得し、ステップＳ１０において、サービスチケット情報を発信することで、サービスチケットを発行してもよい。
【００５６】
また、制御部２３は、ステップＳ１において、バーコードリーダ部３５により、紙媒体に印刷されたサービスチケット等を読み込んでもよい。その際に、制御部２３は、表示部２７と操作部３２によりユーザ情報を取得してもよい。また、ステップＳ１０において、デジタルサイネージ装置２に備えられている印刷部３６が、サービスチケットを印刷しても良い。
その場合、紙媒体のサービスチケットに印刷されているバーコードを他店舗のデジタルサイネージ装置２のバーコードリーダ部３５に読まれることにより、くじの当選確率が高くなるように構成される。店舗側はその場合、紙媒体を回収する。バーコード情報の中にＩＤ情報が含まれていた場合には、一回読み込んだバーコードは無効（使用不可）にしてしまってもよい。
【００５７】
また、本実施形態において、サービスチケットでなく、クーポンを用いてもよい。ここで、クーポンとは、例えば、広告用のチラシや冊子等に付属して、金券、割引券、優待券等として使用することができるものである。
【００５８】
また、ステップＳ７において、デジタルサイネージ装置２の制御部２３は、通信部２６を介して、関連店舗情報として店舗端末４と通信してそれらの店舗の店舗情報を取得するが、デジタルサイネージ装置２の記憶部に店舗情報記憶部を備え、対応する店舗等の業種や提携店舗等の情報、その店舗の所在地情報その店舗等のクーポン情報等を記憶するようにしてもよい。そして、一のデジタルサイネージ装置２は、他のデジタルサイネージ装置２と通信してそれらの店舗の店舗情報を取得するようにしてもよい。
【００５９】
また、くじ引き抽選時の画像として、図７に福引き形式のくじ画像で説明したが、抽選の結果の「当たり」と「外れ」を演出する形式は、福引きだけでなく、例えば、ルーレット、あみだくじ、じゃんけんであってもよい。即ち、抽選画像としては福引き画像の代わりに、ルーレット、あみだくじ、じゃんけん等の画像としてもよい。
【００６０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６１】
〔付記〕
＜請求項１＞
抽選条件を設定するための設定情報を取得する取得手段と、
前記取得手段により取得された設定情報に基づいて、抽選条件の設定変更を行う変更手段と、
ユーザ操作に応じて前記変更手段により設定変更された抽選条件で抽選を行う抽選手段と、
前記抽選手段による抽選が行われた場合に、他の端末装置における抽選条件を設定するための設定情報を生成する生成手段と、
前記生成手段により生成された設定情報を出力する出力手段と、
を備えることを特徴とする端末装置。
＜請求項２＞
前記抽選手段は、表示部に表示された抽選画像に対するユーザ操作に応じて前記変更手段により設定変更された抽選条件で抽選を行うことを特徴とする請求項１に記載の端末装置。
＜請求項３＞
前記取得手段は、外部機器と近距離無線通信により前記設定情報を取得し、
前記出力手段は、前記近距離無線通信により前記外部機器に前記設定情報を送信することを特徴とする請求項１または２に記載の端末装置。
＜請求項４＞
前記取得手段は、バーコードを読み取るバーコードリーダを備え、前記バーコードリーダにより読み取ったバーコードから前記設定情報を取得し、
前記生成手段は、前記設定情報をバーコード化し、
前記出力手段は、印刷物を印刷する印刷手段を備え、前記印刷手段によりバーコード化された設定情報を印刷することを特徴とする請求項１または２に記載の端末装置。
＜請求項５＞
前記生成手段は、前記抽選手段による抽選結果に基づいて、他の端末装置における抽選条件を設定するための設定情報の内容を変更することを特徴とする請求項１〜４の何れか一項に記載の端末装置。
＜請求項６＞  前記設定情報には、ユーザの趣味趣向に関するユーザ情報が含まれ、
前記生成手段は、前記ユーザ情報に基づいて、前記設定情報に関する対象店舗を変更することを特徴とする請求項１〜５の何れか一項に記載の端末装置。
＜請求項７＞
複数の端末装置がデータ送受信可能に接続されている抽選システムにおいて、
一の端末装置は、
抽選条件を設定するための設定情報を取得する取得手段と、
前記取得手段により取得された設定情報に基づいて、抽選条件の設定変更を行う変更手段と、
ユーザ操作に応じて前記変更手段により設定変更された抽選条件で抽選を行う抽選手段と、
前記抽選手段による抽選が行われた場合に、他の端末装置における抽選条件を設定するための設定情報を生成する生成手段と、
前記生成手段により生成された設定情報を出力する出力手段と、
を備えることを特徴とする抽選システム。
＜請求項８＞
端末装置のコンピュータを、
抽選条件を設定するための設定情報を取得する取得手段、
前記取得手段により取得された設定情報に基づいて、抽選条件の設定変更を行う変更手段、
ユーザ操作に応じて前記変更手段により設定変更された抽選条件で抽選を行う抽選手段、
前記抽選手段による抽選が行われた場合に、他の端末装置における抽選条件を設定するための設定情報を生成する生成手段、
前記生成手段により生成された設定情報を出力する出力手段、
として機能させるためのプログラム。
【符号の説明】
【００６２】
１  抽選システム
２  デジタルサイネージ装置（端末装置）
２１  投影部
２２  スクリーン部
２３  制御部（取得手段、変更手段、抽選手段、生成手段、出力手段）
２４  プロジェクタ
２５  記憶部
２６  通信部
２７  表示部
２８  台座
２９  透光板
３０  撮像部
３１  リーダライタ部（取得手段、近距離無線通信手段、出力手段）
３２  操作部
３３  音声出力部
３４  音声入力部
３５  バーコードリーダ部（取得手段）
３６  印刷部（出力手段）
４    店舗端末
５    携帯端末
【図１】
2017123203.tif 000003
【図２】
2017123203.tif 000004
【図３】
2017123203.tif 000005
【図４】
2017123203.tif 000006
【図５】
2017123203.tif 000007
【図６】
2017123203.tif 000008
【図７】
2017123203.tif 000009
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
所定店舗へ来店したユーザを検出する検出手段と、
前記所定店舗と関連のある複数の他店舗の店舗情報を取得し、他店舗の内で前記ユーザを勧誘したい他店舗が存在するか否かを、前記検出のユーザに有益な有益情報があるか否かに基づいて判別する判別手段と、
前記ユーザを勧誘したい他店舗が存在すれば、当該他店舗へ当該ユーザを勧誘する勧誘情報を当該ユーザ向けに出力する出力手段と、
を具備したことを特徴とする端末装置。
【請求項２】
前記検出手段は、前記所定店舗へ来店したユーザのユーザ情報を取得することでユーザを検出し、
前記判別手段は、前記取得のユーザ情報に基づいて、前記検出のユーザに有益な有益情報があるか否かを判別する、
ことを特徴とする請求項１に記載の端末装置。
【請求項３】
前記ユーザ情報に、当該所定店舗において前記ユーザにサービスを行うサービス情報が含まれていれば、そのサービス情報に基づいて前記ユーザに対するサービス処理を行うサービス手段と、
を更に具備したことを特徴とする請求項２に記載の端末装置。
【請求項４】
前記出力手段は、前記勧誘したい他店舗に前記ユーザが来店した場合に、その他店舗でユーザにとって有利となるサービス情報を含む前記勧誘情報を出力する、
ことを特徴とする請求項１〜３の何れかに記載の端末装置。
【請求項５】
前記出力手段は、前記他店舗へ勧誘する前記勧誘情報が存在することを識別可能に通知することで、当該勧誘情報を出力する、
ことを特徴とする請求項１〜４の何れかに記載の端末装置。
【請求項６】
前記出力手段は、当該所定店舗に来店した前記ユーザの端末装置に対して前記勧誘情報を送信することで、前記勧誘情報を当該ユーザ向けに出力する、
ことを特徴とする請求項１〜５の何れかに記載の端末装置。
【請求項７】
店舗における端末装置を制御する端末制御方法であって、
所定店舗へ来店したユーザを検出する検出ステップと、
前記所定店舗と関連のある複数の他店舗の店舗情報を取得し、他店舗の内で前記ユーザを勧誘したい他店舗が存在するか否かを、前記検出のユーザに有益な有益情報がある否かに基づいて判別する判別ステップと、
前記ユーザを勧誘したい他店舗が存在すれば、当該他店舗へ当該ユーザを勧誘する勧誘情報を当該ユーザ向けに出力する出力ステップと、
からなる端末制御方法。
【請求項８】
店舗における端末装置のコンピュータを制御するためのプログラムであって、
前記コンピュータを、
所定店舗へ来店したユーザを検出する検出手段、
前記所定店舗と関連のある複数の他店舗の店舗情報を取得し、他店舗の内で前記ユーザを勧誘したい他店舗が存在するか否かを、前記検出のユーザに有益な有益情報があるか否かに基づいて判別する判別手段、
前記ユーザを勧誘したい他店舗が存在すれば、当該他店舗へ当該ユーザを勧誘する勧誘情報を当該ユーザ向けに出力する出力手段、
として機能させるようにしたプログラム。
【手続補正３】
【補正対象書類名】明細書
【補正対象項目名】０００１
【補正方法】変更
【補正の内容】
【０００１】
本発明は、端末装置、端末制御方法、及びプログラムに関する。
【手続補正４】
【補正対象書類名】明細書
【補正対象項目名】０００４
【補正方法】変更
【補正の内容】
【０００４】
本発明の課題は、店舗への高い顧客誘因効果を発揮させることである。
【手続補正５】
【補正対象書類名】明細書
【補正対象項目名】０００５
【補正方法】変更
【補正の内容】
【０００５】
請求項１は、所定店舗へ来店したユーザを検出する検出手段と、前記所定店舗と関連のある複数の他店舗の店舗情報を取得し、他店舗の内で前記ユーザを勧誘したい他店舗が存在するか否かを、前記検出のユーザに有益な有益情報があるか否かに基づいて判別する判別手段と、前記ユーザを勧誘したい他店舗が存在すれば、当該他店舗へ当該ユーザを勧誘する勧誘情報を当該ユーザ向けに出力する出力手段と、を具備したことを特徴とする。
【手続補正６】
【補正対象書類名】明細書
【補正対象項目名】０００６
【補正方法】変更
【補正の内容】
【０００６】
本発明によれば、店舗への高い顧客誘因効果を発揮させることができる。